(57)【要約】  高ＮＡ薄型の対物レンズにおいて、レンズ成形時の割れ発生を防止し、安定したレンズ成形が可能な対物レンズを提供する。本発明は、パワーが負でない光学面からなる対物レンズに関するものである。当該対物レンズは単レンズであって、対物レンズの射出側面頂点の位置より外周部に設けた光軸に垂直な平坦部の位置の方がディスク表面に近く、該射出側面のＳＡＧの変化率が全周にわたり連続となるように形成されている。
2011033787.tif 000002
【特許請求の範囲】
【請求項１】
入射側及び出射側に回転対称軸をもつ光学機能面を備え、入射側から入射した光束を集光する対物レンズ素子であって、
前記出射側において、前記光学機能面の有効径外の輪帯状領域に、前記光学機能面の面頂点より前記スポット側に突出した外周部を備え、
前記出射側の前記光学機能面のＳＡＧ変化率が対称軸から外周に向けた全域にわたって連続である、対物レンズ素子。
【請求項２】
有効径内の最外周領域の光軸方向の厚みより、有効径外の領域の光軸方向の厚みが厚い、請求項１に記載の対物レンズ素子。
【請求項３】
前記出射側の光学機能面の有効径外の領域において、ＳＡＧの増減方向が反転する、請求項１に記載の対物レンズ素子。
【発明の詳細な説明】
【技術分野】
【０００１】
本発明は、光情報記録媒体に情報の記録・再生・消去の少なくとも１つを行う光ピックアップ装置に用いられる対物レンズ素子に関する。
【背景技術】
【０００２】
近年、高記録密度の光ディスク（例えば、Ｂｌｕ−ｒａｙ  Ｄｉｓｃ（登録商標））用光ピックアップ装置に対し、従来のＣＤやＤＶＤに用いられるものと同様に、薄型化の要望がある。光ピックアップ装置の薄型化は、これを搭載する装置の小型化・薄型化をもたらし、搭載可能な装置の幅の拡大に繋がる。【０００３】
光ピックアップ装置の厚みに対する寄与度が大きい光学部品の一つに、対物レンズがある。光学的な配置の制約上、対物レンズの厚みが光ピックアップの厚みにダイレクトに影響する。したがって、光ピックアップ装置の薄型化を達成するには対物レンズの薄型化が必要である。【０００４】
ＢＤ用対物レンズの場合、高ＮＡの範囲で軸外収差などの補正を行うため、レンズ厚は厚くなる傾向にある。ここで言う「レンズ厚が厚い」とは、レンズ軸上厚みが、ＣＤ及びＤＶＤ用の比較的低ＮＡの対物レンズと比較して厚いことを指す。以下では、光学性能とコストの面で優位性のある両凸の単レンズ素子を例として説明する。【０００５】
光源側の対物レンズ光学面は、入射光線を大きく曲げる必要があるため、一般的にパワーの大きな面となり、サグの量が大きくなる傾向にある。また、ディスク側の対物レンズ光学面も、凸のパワーを有するためレンズ厚は周辺にかけて薄くなる。ここで、光学面とは、非球面からなる屈折面、回折面、位相段差面などを含む。【０００６】
そこで、可能な限りレンズ厚を薄くする場合、レンズ有効径付近及びその外周においてコバ厚が確保できなくなるという問題が生じる。また、ある程度コバ厚を確保しないと、レンズ成形工程で割れが発生し、安定したレンズ成形が困難になる。【０００７】
例えば、特許文献１〜３には、高ＮＡ対物レンズにおいて、有効径外の外周部に、有効径内の光軸方向の厚みより厚い領域を設ける技術が開示されている。
【先行技術文献】
【特許文献】
【０００８】
【特許文献１】特開２００７−３３４９２８号公報
【特許文献２】特開２００７−３３４９２９号公報
【特許文献３】特開２００７−３３４９３０号公報
【発明の概要】
【発明が解決しようとする課題】
【０００９】
しかしながら、上記特許文献では、樹脂よりなる対物レンズが開示されているに過ぎず、ガラスよりなる対物レンズには適用できない。その理由は、樹脂製レンズとガラス製レンズとの工法の違いにより、それぞれの金型加工工法が異なるためである。したがって、上記特許文献に記載のように、面形状が不連続な形状はガラスレンズに適用することができない。また、上記特許文献では、外周部の光軸方向の厚みを厚くするのは、金型形状の転写性を向上させてレンズ収差性能を上げること、及び、光ディスクとの衝突防止材としての役割を外周部に付与することを意図している。【００１０】
本発明の目的は、高ＮＡかつ薄型であって、成形時の割れ発生が防止され、安定した成形が可能な対物レンズ素子を提供することである。
【課題を解決するための手段】
【００１１】
本発明は、入射側及び出射側に回転対称軸をもつ光学機能面を備え、入射側から入射した光束を集光する対物レンズ素子に関する。出射側において、光学機能面の有効径外の輪帯状領域に、光学機能面の面頂点よりスポット側に突出した外周部を備える。出射側の光学機能面のＳＡＧ変化率が対称軸から外周に向けた全域にわたって連続である。
【発明の効果】
【００１２】
本発明によれば、高ＮＡかつ薄型で、成形時の割れ発生を防止しつつ安定して成形可能な対物レンズ素子を提供することができる。
【図面の簡単な説明】
【００１３】
【図１】図１は、実施の形態１に係る対物レンズ素子１の概略構成図である。
【図２】図２は、実施の形態２に係る光ピックアップ装置の概略構成図である。
【図３】図３は、数値実施例１に係る対物レンズ素子の光路図である。
【図４】図４は、数値実施例１に係る対物レンズ素子の球面収差を表すグラフである。
【図５】図５は、数値実施例１に係る対物レンズ素子の正弦条件の不満足量を表すグラフである。
【図６】図６は、数値実施例２に係る対物レンズ素子の光路図である。
【図７】図７は、数値実施例２に係る対物レンズ素子の球面収差を表すグラフである。
【図８】図８は、数値実施例２に係る対物レンズ素子の正弦条件の不満足量を表す収差図である。
【発明を実施するための形態】
【００１４】
以下、本発明の実施形態について、図面を参照しながら詳細に説明する。
【００１５】
（実施の形態１）
図１は、実施の形態１に係る対物レンズ素子の概略構成図である。対物レンズ１は、情報記録媒体２の情報記録面に対してレーザ光を合焦させるためのものである。
【００１６】
ここで、情報記録媒体２の種類は特に限定されるものではない。情報記録媒体２は、例えば、ＣＤ（Ｃｏｍｐａｃｔ  Ｄｉｓｃ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  ＲｅＷｒｉｔａｂｌｅ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−Ｒ（Ｄｉｇｉｔａｌ
Ｖｅｒｓａｔｉｌｅ  Ｄｉｓｃ  Ｒｅｃｏｒｄａｂｌｅ）、ＤＶＤ−ＲＷ（Ｄｉｇｉｔａｌ  Ｖｅｒｓａｔｉｌｅ  Ｄｉｓｃ  ＲｅＷｒｉｔａｂｌｅ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＥＶＤ（Ｅｎｈａｎｃｅｄ  Ｖｅｒｓａｔｉｌｅ  Ｄｉｓｃ）、ＥＶＤ−Ｒ（Ｅｎｈａｎｃｅｄ  Ｖｅｒｓａｔｉｌｅ  Ｄｉｓｃ  Ｒｅｃｏｒｄａｂｌｅ）、ＥＶＤ−ＲＷ（Ｅｎｈａｎｃｅｄ  Ｖｅｒｓａｔｉｌｅ  Ｄｉｓｃ  ＲｅＷｒｉｔ
ａｂｌｅ）、ＥＶＤ−ＲＯＭ（Ｅｎｈａｎｃｅｄ  Ｖｅｒｓａｔｉｌｅ  Ｄｉｓｃ  Ｒｅａｄ  Ｏｎｌｙ  Ｍｅｍｏｒｙ）、ＥＶＤ−ＲＡＭ（Ｅｎｈａｎｃｅｄ  Ｖｅｒｓａｔｉｌｅ  Ｄｉｓｋ  Ｒａｎｄｏｍ  Ａｃｃｅｓｓ  Ｍｅｍｏｒｙ）、ＢＤ（Ｂｌｕ−ｒａｙ
Ｄｉｓｃ）、ＢＤ−Ｒ（Ｂｌｕ−ｒａｙ  Ｄｉｓｃ  Ｒｅｃｏｒｄａｂｌｅ）、ＢＤ−ＲＷ（Ｂｌｕ−ｒａｙ  Ｄｉｓｃ  ＲｅＷｒｉｔａｂｌｅ）、ＢＤ−ＲＯＭ（Ｂｌｕ−ｒａｙ  Ｄｉｓｃ  Ｒｅａｄ  Ｏｎｌｙ  Ｍｅｍｏｒｙ）、ＢＤ−ＲＡＭ（Ｂｌｕ−ｒａｙ
Ｄｉｓｃ  Ｒａｎｄｏｍ  Ａｃｃｅｓｓ  Ｍｅｍｏｒｙ）等の光ディスク（以上、すべて登録商標）であってもよい。
【００１７】
光源（図示せず）から出射された所定の波長（例えば、４０８ｎｍ）の光束３は、コリメートレンズ（図示せず）等により略平行光とされ、対物レンズ素子１に入射する。対物レンズ素子１は、ガラス材料からなり、入射側及び出射側に正のパワーを有する異なる２つの非球面１ａ及び１ｂを有する単レンズ素子である。非球面１ａ及び１ｂはいずれも、光軸を回転対称軸とする光学機能面である。光束３は、非球面１ａに入射し、非球面１ｂから出射される。出射された光束３は、光情報記録媒体２の情報記録面に集光され良好なスポットを形成する。また、光情報記録面によって反射された光束３は、対物レンズ素子の非球面１ｂに入射し、他方の非球面１ａから出射され、再び略平行光としてコリメートレンズ等に入射し、検出器（図示せず）において電気信号に変換され信号として検出される。
【００１８】
ここで、対物レンズ素子１の形状の詳細を述べる。第１の光学機能面である非球面１ａ及び第２の光学機能面である非球面１ｂは、いずれも正のパワーを有する凸形状を有する。したがって、対物レンズ素子１の厚みは、光軸から半径方向外方に行くにつれて薄くなる。また、対物レンズ素子１は、有効径の外周領域に、光軸に対して直交する方向に延びる平坦部（コバフラット部）を有する。出射側の非球面１ｂの有効径外において、非球面１ｂのＳＡＧ（サグ）が反転しており、非球面１ｂの有効径外方の領域において、十分なレンズ厚みが確保されている。また、図１から分かるように、第２面側では面頂点よりコバフラット部の端面がディスク表面に近くに位置する形状となる。
【００１９】
このように、第２面側において、有効径内の領域と有効径外の領域とを、有効径内の領域の非球面とは異なる曲面で接続することにより、十分なコバの厚みを確保することが可能となる。この接続部分は、段差なく接続されている。また、出射側の非球面１ｂのＳＡＧは連続であり、かつ、ＳＡＧの半径に対する変化率（ＳＡＧの半径での微分）も連続である。
【００２０】
一般に、対物レンズ素子の中心厚が非常に薄い場合、有効径近傍におけるレンズ厚は非常に薄くなる。通常のように有効径外の領域において、内周と同じ非球面で延長した場合コバ厚みがなくなるか、もしくは、極端に薄くなり、安定したレンズ成形が困難なレンズとなる。
【００２１】
これに対して、実施の形態１に係る対物レンズ素子１では、出射側面の有効径内の領域と、有効径外の領域とを、有効径内とは異なる曲面で接続している。そして、出射側の非球面１ｂのＳＡＧを反転させることによりコバ厚を厚くしている。この結果、レンズ成形時に割れが発生しにくく、成形が容易なレンズを実現できる。
【００２２】
本実施の形態では、光情報記録媒体側である第２面の外周領域のＳＡＧの増減方向を反転させることでコバ厚を確保しているが、同目的で第１面側のＳＡＧの増減方向を反転させても良い。しかしながら、高ＮＡの対物レンズ素子の入射側面は、一般的にＳＡＧ変化率が大きな曲面になる傾向があり金型加工上難易度が高い。そこで、第２面の外周領域１ｂのＳＡＧの符号を反転させる方が好ましい。
【００２３】
本実施の形態では、対物レンズ素子１は２つの非球面から構成されるが、これに限らない。対物レンズ素子の光学機能面は、回折面でも位相段差面でも良いし、同心円状の輪帯領域に分割されていても良い。また、本実施の形態においては、ＢＤ用光学系についてのみ詳細を述べたが、同じアクチュエータ上に隣接してＤＶＤ／ＣＤ用対物レンズ素子が配置されていても良い。本実施の形態で例示した対物レンズ素子はＢＤ専用であるが、他の光情報記録媒体との互換機能を有しても良い。本実施の形態においては、ガラス製（Ｔｇ約５００℃）で作製した対物レンズ素子１を説明したが、材料は限定されない。対物レンズ素子１は、樹脂から構成されていても良い。
【００２４】
（実施の形態２）
図２は、実施の形態２に係る光ピックアップ装置の概略構成図である。本実施形態に係る光ピックアップ装置は、容易に成形可能な薄型対物レンズ素子を用いることにより、薄型化が実現されている。
【００２５】
実施の形態２に係る光ピックアップ装置は、光源４１と、ビーム成形レンズ４４と、ビームスプリッタ４５と、コリメートレンズ４２と、立ち上げミラー４７と、対物レンズ素子４３と、検出レンズ５０と、検出器５４とを備えている。光源４１は、情報記録媒体４６の種類に応じた波長のレーザ光（発散光）を出射する。例えば、情報記録媒体４６がＢＤ（登録商標）である場合は、波長が３７８〜４３８ｎｍ（４２０ｎｍ未満であってもよい）のレーザ光を出射する光源４１が使用される。情報記録媒体４６がＤＶＤ（登録商標）である場合は、波長が６３０〜６９０ｎｍのレーザ光を出射する光源４１が使用される。情報記録媒体４６がＣＤ（登録商標）である場合は、波長が７５０〜８１０ｎｍのレーザ光を出射する光源４１が使用される。また、例えば、ＣＤ、ＤＶＤ、ＢＤの３種の光ディスクに対して互換性を有するヒカリピックアップ装置を構成する場合、光ディスクの種類に応じた波長の光を選択的に出射する光源４１を使用できる。
【００２６】
光源４１の前方にはビーム整形レンズ４４が配置されている。このビーム整形レンズ４４によって、光源４１から出射されたレーザ光が所望の形状に成形される。ビーム整形レンズ４４により整形されたレーザ光は、ビームスプリッタ４５の反射面により情報記録媒体４６側へと反射される。ビームスプリッタ４５と情報記録媒体４６との間には、コリメートレンズ（単一のレンズ素子により構成されていてもよく、複数のレンズ素子により構成されていてもよい）４２と、情報記録媒体４６の各情報記録面にレーザ光を合焦するための対物レンズ素子４３とが配置されている。
【００２７】
対物レンズ素子４３は、実施の形態１で説明したものと同一である。対物レンズ素子４３は、ガラス材料からなり、入射側の第１面及び出射側の第２面の両方が非球面である。第２面の有効径内の領域は、正のパワーを有する非球面からなり、光軸から半径方向外方に向かうにつれてレンズ厚が薄くなる。つまり、第２面の有効径内の領域では、ＳＡＧは単調減少する。ここで、第２面のＳＡＧの符号は、光源側をマイナス、情報記録媒体をにプラスとする。第２面の有効径を超えた外周領域においては、有効径内領域の非球面とは異なる曲面が形成されており、光軸方向にレンズ厚が厚くなる。つまり、第２面のＳＡＧは、光軸から有効径までは単調減少するが、有効径近傍で反転し、その後単調増加する。このような形状により、レンズ製造時の割れを防止することができ容易にレンズ成形を行うことができる。
【００２８】
また、第２面において、有効径内の領域と有効径外の領域との接続部分に段差はなく、ＳＡＧは連続している。また、半径に対するＳＡＧの変化率（半径でのＳＡＧの微分値）も連続である。また、有効径の内外でＳＡＧの変化率の符号が反転しているため、接続点付近でＳＡＧの微分値がゼロとなる点を有する。外周部に設けられているコバフラット部の端面が第２面の面頂点より突出し、光ディスク表面により近くなっている。
【００２９】
尚、本実施形態では、対物光学系は、１枚の対物レンズ素子４３のみによって構成されているが、必要に応じて、対物レンズ素子４３と、位相補正素子やビームエキスパンダー等の他の１以上の光学素子とを組み合わせて対物光学系を構成してもよい。
【００３０】
対物レンズ素子４３のＮＡは特に限定されるものではないが、光ピックアップ装置がＢＤ（登録商標）等に対してレーザ光を合焦させるものである場合は、例えば０．８以上であることが好ましい。
【００３１】
対物レンズ素子４３により情報記録媒体４６の情報記録面に合焦されたレーザ光は、情報記録面により反射される。そして、その情報記録面よる反射光は再度、対物レンズ４３立ち上げミラー４７、コリメートレンズ４２、ビームスプリッタ４５を透過して検出レンズ５０により検出器５４に入射する。
【００３２】
本実施の形態では、コリメートレンズ４２は収差補正素子としての機能を有するものであり、ビームスプリッタ４５と対物レンズ４３との間の基準位置に位置し、その基準位置から光軸ＡＸ上を変位可能に構成されている。さらに本実施の形態では、収差補正素子として機能するコリメートレンズ４２が基準位置に位置する場合に、対物レンズ素子に４３に略平行光が入射する。
【００３３】
ここでは、収差補正素子としてコリメートレンズ４２を使用する例を説明したが、収差補正素子は、コリメートレンズと対物レンズとの間に配置されたビームエキスパンダー単体で構成しても良いし、又はビームエキスパンダーレンズ及びコリメートレンズにより構成してもよい。また、液晶レンズや液体レンズ等を収差補正素子として用いてもよい。
【００３４】
本実施の形態において、対物レンズ素子４３以外のレンズ素子、その他の光学素子は、実質的に屈折作用のみを有する屈折面のみにより構成されたものであってもよいし、例えば、回折面や位相段差面等の他の光学機能面を有するものであってもよい。さらに、各光学素子の材質は特に限定されるものではなく、例えばガラス製であってもよく、樹脂製であってもよい。
【００３５】
また、光ピックアップ装置は、光源４１と情報記録媒体４６との間に、透過波面収差に実質的に影響を及ぼさないような素子をさらに備えるものであってもよい。
【００３６】
本実施の形態は、ＢＤ用の光学系を挙げて説明したが、他の光ディスクＤＶＤ、ＣＤ等をも同一ピックアップで記録再生できるよう、対物レンズ素子４３が搭載されるアクチュエータ上に他のレンズ（もしくは互換レンズ）がある、いわゆる２レンズ構成の光ピックアップ装置にも適用できる。また、本実施の形態に係る対物レンズは、Ｔｇが約５００℃のガラス製であるがこの材料に限定されない。
【実施例】
【００３７】
以下、本発明の実施例を、コンストラクションデータ、収差図等を挙げてさらに具体的に説明する。尚、各数値実施例において、非球面係数が与えられた面は、非球面形状の屈折光学面または非球面と等価な屈折作用を有する面（例えば回折面等）であることを示し、非球面の面形状は、以下の数式によってで定義される。【００３８】
【数１】
2011033787.tif 000003
但し、
Ｘ：光軸からの高さがｈである非球面状の点の非球面頂点の接平面からの距離、
ｈ：光軸からの高さ、
Ｃｊ：レンズ第ｊ面の非球面頂点の曲率（Ｃｊ＝１／Ｒｊ）、
ｋｊ：レンズ第ｊ面の円錐定数、
Ａｊ，ｎ：レンズ第ｊ面のｎ次の非球面定数、
である。【００３９】
（数値実施例１）
数値実施例１に係る対物レンズ素子のコンストラクションデータを下記表１に示す。【００４０】
【表１】
2011033787.tif 000004
【００４１】
数値実施例１において、対物レンズ素子の第１面は非球面よりなる。第２面は光軸を含む内周領域とこれを取り囲む外周領域とに分割され、内周領域は非球面からなり、外周領域は球面からなる。また、対物レンズ素子の外周部には光軸に対して垂直な平坦部が設けられる。設計波長は４０６ｎｍ、焦点距離は０．９ｍｍ、開口数（ＮＡ）は０．８５、情報記録媒体の保護層厚は０．０８５ｍｍである。ここで、設計保護層厚を０．０８５ｍｍとしているのは、ＢＤの多層ディスクに対応するためであり、最も厚い保護層と最も薄い保護層との間の厚みに相当する。ここで、第２面の内周領域の非球面をそのまま延伸した場合、コバ厚は約９８μｍしか確保できず、割れが発生しやすく安定した製造は困難である。そこで、外周領域を内周領域とは凹凸が逆の曲面（Ｒ＝１．０ｍｍ）で構成し、レンズ厚みを増やしている。こうすることで、コバ厚を約１６６μｍ確保でき、安定した製造が可能なレンズとなっている。【００４２】
図３は、数値実施例１に係る対物レンズ素子の光路図である。図４は、数値実施例１に係る対物レンズ素子に平行光が入射した場合の球面収差を表すグラフである。図５は、数値実施例に係る対物レンズ素子に平行光が入射した場合の正弦条件を表すグラフである。【００４３】
（数値実施例２）
数値実施例２に係る対物レンズ素子のコンストラクションデータを下記表２に示す。【００４４】
【表２】
2011033787.tif 000005
【００４５】
数値実施例２において、対物レンズ素子はガラス材料からなる。対物レンズ素子の第１面は非球面よりなる。第２面は、光軸を含む内周領域とこれを取り囲む外周領域とに分割され、内周領域は非球面からなり、外周領域は球面からなる。また、対物レンズ素子の外周部には、光軸に対して垂直な平坦部が設けられる。設計波長は４０６ｎｍ、焦点距離は０．８５ｍｍ、開口数（ＮＡ）は０．８５、情報記録媒体の保護層厚は０．０８５ｍｍである。ここで、設計保護層厚を０．０８５ｍｍとしているのは、ＢＤの多層ディスクに対応するためであり、最も厚い保護層と最も薄い保護層との間の厚みに相当する。第２面の内周領域の非球面をそのまま延伸延長した場合、コバ厚は約１１１μｍしか確保できず割れが発生しやすい形状となってしまう。そこで、第２面の外周領域を内周領域とは凹凸が逆の曲面（Ｒ＝０．９ｍｍ）で構成することにより、コバ厚を最大１８１μｍ確保でき、割れの発生しにくいレンズ形状が得られる。【００４６】
図６は、数値実施例２に係る対物レンズ素子の光路図である。図７はは、数値実施例２に係る対物レンズ素子に平行光が入射した場合の球面収差を表すグラフである。図８は、数値実施例２に係る対物レンズ素子に平行光が入射した場合の正弦条件を表すグラフである。
【産業上の利用可能性】
【００４７】
本発明は、高ＮＡかつ薄型の対物レンズ素子を安定して製造することを可能とするため、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）、ＥＶＤ（Ｅｎｈａｎｃｅｄ  Ｖｅｒｓａｔｉｌｅ  Ｄｉｓｃ）、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）等の種々の情報記録媒体に対して記録や再生を行う光ピックアップ装置、これを用いた情報機器（コンピュータ等）、映像機器、音響機器等に利用できる。
【符号の説明】
【００４８】
１      対物レンズ
１ａ    対物レンズ第一面
１ｂ    対物レンズ第二面
２      情報記録媒体
３      波長４０６ｎｍの光束
４０      波長４０６ｎｍの光束
４１      光源
４２      コリメートレンズ
４３      対物レンズ
４４      ビーム成形レンズ
４５      ビームスプリッタ
４６      情報記録媒体
４７      立ち上げミラー
５０      検出レンズ
５４      検出器
【図１】
2011033787.tif 000006
【図２】
2011033787.tif 000007
【図３】
2011033787.tif 000008
【図４】
2011033787.tif 000009
【図５】
2011033787.tif 000010
【図６】
2011033787.tif 000011
【図７】
2011033787.tif 000012
【図８】
2011033787.tif 000013
【手続補正書】
【提出日】平成24年2月15日(2012.2.15)
【手続補正１】
【補正対象書類名】明細書
【補正対象項目名】全文
【補正方法】変更
【補正の内容】
【発明の詳細な説明】
【技術分野】
【０００１】
本発明は、光情報記録媒体に情報の記録・再生・消去の少なくとも１つを行う光ピックアップ装置に用いられる対物レンズ素子に関する。
【背景技術】
【０００２】
近年、高記録密度の光ディスク（例えば、Ｂｌｕ−ｒａｙ  Ｄｉｓｃ（登録商標））用光ピックアップ装置に対し、従来のＣＤやＤＶＤに用いられるものと同様に、薄型化の要望がある。光ピックアップ装置の薄型化は、これを搭載する装置の小型化・薄型化をもたらし、搭載可能な装置の幅の拡大に繋がる。
【０００３】
光ピックアップ装置の厚みに対する寄与度が大きい光学部品の一つに、対物レンズがある。光学的な配置の制約上、対物レンズの厚みが光ピックアップの厚みにダイレクトに影響する。したがって、光ピックアップ装置の薄型化を達成するには対物レンズの薄型化が必要である。
【０００４】
ＢＤ用対物レンズの場合、高ＮＡの範囲で軸外収差などの補正を行うため、レンズ厚は厚くなる傾向にある。ここで言う「レンズ厚が厚い」とは、レンズ軸上厚みが、ＣＤ及びＤＶＤ用の比較的低ＮＡの対物レンズと比較して厚いことを指す。以下では、光学性能とコストの面で優位性のある両凸の単レンズ素子を例として説明する。
【０００５】
光源側の対物レンズ光学面は、入射光線を大きく曲げる必要があるため、一般的にパワーの大きな面となり、サグの量が大きくなる傾向にある。また、ディスク側の対物レンズ光学面も、凸のパワーを有するためレンズ厚は周辺にかけて薄くなる。ここで、光学面とは、非球面からなる屈折面、回折面、位相段差面などを含む。
【０００６】
そこで、可能な限りレンズ厚を薄くする場合、レンズ有効径付近及びその外周においてコバ厚が確保できなくなるという問題が生じる。また、ある程度コバ厚を確保しないと、レンズ成形工程で割れが発生し、安定したレンズ成形が困難になる。
【０００７】
例えば、特許文献１〜３には、高ＮＡ対物レンズにおいて、有効径外の外周部に、有効径内の光軸方向の厚みより厚い領域を設ける技術が開示されている。
【先行技術文献】
【特許文献】
【０００８】
【特許文献１】特開２００７−３３４９２８号公報
【特許文献２】特開２００７−３３４９２９号公報
【特許文献３】特開２００７−３３４９３０号公報
【発明の概要】
【発明が解決しようとする課題】
【０００９】
しかしながら、上記特許文献では、樹脂よりなる対物レンズが開示されているに過ぎず、ガラスよりなる対物レンズには適用できない。その理由は、樹脂製レンズとガラス製レンズとの工法の違いにより、それぞれの金型加工工法が異なるためである。したがって、上記特許文献に記載のように、面形状が不連続な形状はガラスレンズに適用することができない。また、上記特許文献では、外周部の光軸方向の厚みを厚くするのは、金型形状の転写性を向上させてレンズ収差性能を上げること、及び、光ディスクとの衝突防止材としての役割を外周部に付与することを意図している。
【００１０】
本発明の目的は、高ＮＡかつ薄型であって、成形時の割れ発生が防止され、安定した成形が可能な対物レンズ素子を提供することである。
【課題を解決するための手段】
【００１１】
本発明は、入射側及び出射側に回転対称軸をもつ光学機能面を備え、入射側から入射した光束を集光する対物レンズ素子に関する。出射側において、光学機能面の有効径外の輪帯状領域に、光学機能面の面頂点よりスポット側に突出した外周部を備える。出射側の光学機能面のＳＡＧ変化率が対称軸から外周に向けた全域にわたって連続である。
【発明の効果】
【００１２】
本発明によれば、高ＮＡかつ薄型で、成形時の割れ発生を防止しつつ安定して成形可能な対物レンズ素子を提供することができる。
【図面の簡単な説明】
【００１３】
【図１】実施の形態１に係る対物レンズ素子１の概略構成図
【図２】実施の形態２に係る光ピックアップ装置の概略構成図
【図３】数値実施例１に係る対物レンズ素子の光路図
【図４】数値実施例１に係る対物レンズ素子の球面収差を表すグラフ
【図５】数値実施例１に係る対物レンズ素子の正弦条件の不満足量を表すグラフ
【図６】数値実施例２に係る対物レンズ素子の光路図
【図７】数値実施例２に係る対物レンズ素子の球面収差を表すグラフ
【図８】数値実施例２に係る対物レンズ素子の正弦条件の不満足量を表す収差図
【発明を実施するための形態】
【００１４】
以下、本発明の実施形態について、図面を参照しながら詳細に説明する。
【００１５】
（実施の形態１）
図１は、実施の形態１に係る対物レンズ素子の概略構成図である。対物レンズ１は、情報記録媒体２の情報記録面に対してレーザ光を合焦させるためのものである。
【００１６】
ここで、情報記録媒体２の種類は特に限定されるものではない。情報記録媒体２は、例えば、ＣＤ（Ｃｏｍｐａｃｔ  Ｄｉｓｃ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  ＲｅＷｒｉｔａｂｌｅ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−Ｒ（Ｄｉｇｉｔａｌ
Ｖｅｒｓａｔｉｌｅ  Ｄｉｓｃ  Ｒｅｃｏｒｄａｂｌｅ）、ＤＶＤ−ＲＷ（Ｄｉｇｉｔａｌ  Ｖｅｒｓａｔｉｌｅ  Ｄｉｓｃ  ＲｅＷｒｉｔａｂｌｅ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＥＶＤ（Ｅｎｈａｎｃｅｄ  Ｖｅｒｓａｔｉｌｅ  Ｄｉｓｃ）、ＥＶＤ−Ｒ（Ｅｎｈａｎｃｅｄ  Ｖｅｒｓａｔｉｌｅ  Ｄｉｓｃ  Ｒｅｃｏｒｄａｂｌｅ）、ＥＶＤ−ＲＷ（Ｅｎｈａｎｃｅｄ  Ｖｅｒｓａｔｉｌｅ  Ｄｉｓｃ  ＲｅＷｒｉｔ
ａｂｌｅ）、ＥＶＤ−ＲＯＭ（Ｅｎｈａｎｃｅｄ  Ｖｅｒｓａｔｉｌｅ  Ｄｉｓｃ  Ｒｅａｄ  Ｏｎｌｙ  Ｍｅｍｏｒｙ）、ＥＶＤ−ＲＡＭ（Ｅｎｈａｎｃｅｄ  Ｖｅｒｓａｔｉｌｅ  Ｄｉｓｋ  Ｒａｎｄｏｍ  Ａｃｃｅｓｓ  Ｍｅｍｏｒｙ）、ＢＤ（Ｂｌｕ−ｒａｙ
Ｄｉｓｃ）、ＢＤ−Ｒ（Ｂｌｕ−ｒａｙ  Ｄｉｓｃ  Ｒｅｃｏｒｄａｂｌｅ）、ＢＤ−ＲＷ（Ｂｌｕ−ｒａｙ  Ｄｉｓｃ  ＲｅＷｒｉｔａｂｌｅ）、ＢＤ−ＲＯＭ（Ｂｌｕ−ｒａｙ  Ｄｉｓｃ  Ｒｅａｄ  Ｏｎｌｙ  Ｍｅｍｏｒｙ）、ＢＤ−ＲＡＭ（Ｂｌｕ−ｒａｙ
Ｄｉｓｃ  Ｒａｎｄｏｍ  Ａｃｃｅｓｓ  Ｍｅｍｏｒｙ）等の光ディスク（以上、すべて登録商標）であってもよい。
【００１７】
光源（図示せず）から出射された所定の波長（例えば、４０８ｎｍ）の光束３は、コリメートレンズ（図示せず）等により略平行光とされ、対物レンズ素子１に入射する。対物レンズ素子１は、ガラス材料からなり、入射側及び出射側に正のパワーを有する異なる２つの非球面１ａ及び１ｂを有する単レンズ素子である。非球面１ａ及び１ｂはいずれも、光軸を回転対称軸とする光学機能面である。光束３は、非球面１ａに入射し、非球面１ｂから出射される。出射された光束３は、光情報記録媒体２の情報記録面に集光され良好なスポットを形成する。また、情報記録面によって反射された光束３は、対物レンズ素子１の非球面１ｂに入射し、他方の非球面１ａから出射され、再び略平行光としてコリメートレンズ等に入射し、検出器（図示せず）において電気信号に変換され信号として検出される。
【００１８】
ここで、対物レンズ素子１の形状の詳細を述べる。第１の光学機能面である非球面１ａ及び第２の光学機能面である非球面１ｂは、いずれも正のパワーを有する凸形状を有する。したがって、対物レンズ素子１の厚みは、光軸から半径方向外方に行くにつれて薄くなる。また、対物レンズ素子１は、有効径の外周領域に、光軸に対して直交する方向に延びる平坦部（コバフラット部）を有する。出射側の非球面１ｂの有効径外において、非球面１ｂのＳＡＧ（サグ）が反転しており、非球面１ｂの有効径外の領域において、十分なレンズ厚みが確保されている。また、図１から分かるように、第２面側では面頂点よりコバフラット部の端面がディスク表面に近くに位置する形状となる。
【００１９】
このように、第２面側において、有効径内の領域と有効径外の領域とを、有効径内の領域の非球面とは異なる曲面で接続することにより、十分なコバの厚みを確保することが可能となる。この接続部分は、段差なく接続されている。また、出射側の非球面１ｂのＳＡＧは連続であり、かつ、ＳＡＧの半径に対する変化率（ＳＡＧの半径での微分）も連続である。
【００２０】
一般に、対物レンズ素子の中心厚が非常に薄い場合、有効径近傍におけるレンズ厚は非常に薄くなる。通常のように有効径外の領域において、内周と同じ非球面で延長した場合コバ厚みがなくなるか、もしくは、極端に薄くなり、安定したレンズ成形が困難なレンズとなる。
【００２１】
これに対して、実施の形態１に係る対物レンズ素子１では、出射側面の有効径内の領域と、有効径外の領域とを、有効径内とは異なる曲面で接続している。そして、出射側の非球面１ｂのＳＡＧを反転させることによりコバ厚を厚くしている。この結果、レンズ成形時に割れが発生しにくく、成形が容易なレンズを実現できる。
【００２２】
本実施の形態では、光情報記録媒体側である第２面の外周領域のＳＡＧの増減方向を反転させることでコバ厚を確保しているが、同目的で第１面側のＳＡＧの増減方向を反転させても良い。しかしながら、高ＮＡの対物レンズ素子の入射側面は、一般的にＳＡＧ変化率が大きな曲面になる傾向があり金型加工上難易度が高い。そこで、第２面の外周領域のＳＡＧの符号を反転させる方が好ましい。
【００２３】
本実施の形態では、対物レンズ素子１は２つの非球面から構成されるが、これに限らない。対物レンズ素子の光学機能面は、回折面でも位相段差面でも良いし、同心円状の輪帯領域に分割されていても良い。また、本実施の形態においては、ＢＤ用光学系についてのみ詳細を述べたが、同じアクチュエータ上に隣接してＤＶＤ／ＣＤ用対物レンズ素子が配置されていても良い。本実施の形態で例示した対物レンズ素子はＢＤ専用であるが、他の光情報記録媒体との互換機能を有しても良い。本実施の形態においては、ガラス製（Ｔｇ約５００℃）で作製した対物レンズ素子１を説明したが、材料は限定されない。対物レンズ素子１は、樹脂から構成されていても良い。
【００２４】
（実施の形態２）
図２は、実施の形態２に係る光ピックアップ装置の概略構成図である。本実施形態に係る光ピックアップ装置は、容易に成形可能な薄型対物レンズ素子を用いることにより、薄型化が実現されている。
【００２５】
実施の形態２に係る光ピックアップ装置は、光源４１と、ビーム成形レンズ４４と、ビームスプリッタ４５と、コリメートレンズ４２と、立ち上げミラー４７と、対物レンズ素子４３と、検出レンズ５０と、検出器５４とを備えている。光源４１は、情報記録媒体４６の種類に応じた波長のレーザ光（発散光）を出射する。例えば、情報記録媒体４６がＢＤ（登録商標）である場合は、波長が３７８〜４３８ｎｍ（４２０ｎｍ未満であってもよい）のレーザ光を出射する光源４１が使用される。情報記録媒体４６がＤＶＤ（登録商標）である場合は、波長が６３０〜６９０ｎｍのレーザ光を出射する光源４１が使用される。情報記録媒体４６がＣＤ（登録商標）である場合は、波長が７５０〜８１０ｎｍのレーザ光を出射する光源４１が使用される。また、例えば、ＣＤ、ＤＶＤ、ＢＤの３種の光ディスクに対して互換性を有するヒカリピックアップ装置を構成する場合、光ディスクの種類に応じた波長の光を選択的に出射する光源４１を使用できる。
【００２６】
光源４１の前方にはビーム整形レンズ４４が配置されている。このビーム整形レンズ４４によって、光源４１から出射されたレーザ光が所望の形状に成形される。ビーム整形レンズ４４により整形されたレーザ光は、ビームスプリッタ４５の反射面により情報記録媒体４６側へと反射される。ビームスプリッタ４５と情報記録媒体４６との間には、コリメートレンズ（単一のレンズ素子により構成されていてもよく、複数のレンズ素子により構成されていてもよい）４２と、情報記録媒体４６の各情報記録面にレーザ光を合焦するための対物レンズ素子４３とが配置されている。
【００２７】
対物レンズ素子４３は、実施の形態１で説明したものと同一である。対物レンズ素子４３は、ガラス材料からなり、入射側の第１面及び出射側の第２面の両方が非球面である。第２面の有効径内の領域は、正のパワーを有する非球面からなり、光軸から半径方向外方に向かうにつれてレンズ厚が薄くなる。つまり、第２面の有効径内の領域では、ＳＡＧは単調減少する。ここで、第２面のＳＡＧの符号は、光源側をマイナス、情報記録媒体側をプラスとする。第２面の有効径を超えた外周領域においては、有効径内領域の非球面とは異なる曲面が形成されており、光軸方向にレンズ厚が厚くなる。つまり、第２面のＳＡＧは、光軸から有効径までは単調減少するが、有効径近傍で反転し、その後単調増加する。このような形状により、レンズ製造時の割れを防止することができ容易にレンズ成形を行うことができる。
【００２８】
また、第２面において、有効径内の領域と有効径外の領域との接続部分に段差はなく、ＳＡＧは連続している。また、半径に対するＳＡＧの変化率（半径でのＳＡＧの微分値）も連続である。また、有効径の内外でＳＡＧの変化率の符号が反転しているため、接続点付近でＳＡＧの微分値がゼロとなる点を有する。外周部に設けられているコバフラット部の端面が第２面の面頂点より突出し、光ディスク表面により近くなっている。
【００２９】
尚、本実施形態では、対物光学系は、１枚の対物レンズ素子４３のみによって構成されているが、必要に応じて、対物レンズ素子４３と、位相補正素子やビームエキスパンダー等の他の１以上の光学素子とを組み合わせて対物光学系を構成してもよい。
【００３０】
対物レンズ素子４３のＮＡは特に限定されるものではないが、光ピックアップ装置がＢＤ（登録商標）等に対してレーザ光を合焦させるものである場合は、例えば０．８以上であることが好ましい。
【００３１】
対物レンズ素子４３により情報記録媒体４６の情報記録面に合焦されたレーザ光は、情報記録面により反射される。そして、その情報記録面よる反射光は再度、対物レンズ素子４３立ち上げミラー４７、コリメートレンズ４２、ビームスプリッタ４５を介して検出レンズ５０により検出器５４に入射する。
【００３２】
本実施の形態では、コリメートレンズ４２は収差補正素子としての機能を有するものであり、ビームスプリッタ４５と対物レンズ素子４３との間の基準位置に位置し、その基準位置から光軸ＡＸ上を変位可能に構成されている。さらに本実施の形態では、収差補正素子として機能するコリメートレンズ４２が基準位置に位置する場合に、対物レンズ素子４３に略平行光が入射する。
【００３３】
ここでは、収差補正素子としてコリメートレンズ４２を使用する例を説明したが、収差補正素子は、コリメートレンズと対物レンズとの間に配置されたビームエキスパンダー単体で構成しても良いし、又はビームエキスパンダーレンズ及びコリメートレンズにより構成してもよい。また、液晶レンズや液体レンズ等を収差補正素子として用いてもよい。
【００３４】
本実施の形態において、対物レンズ素子４３以外のレンズ素子、その他の光学素子は、実質的に屈折作用のみを有する屈折面のみにより構成されたものであってもよいし、例えば、回折面や位相段差面等の他の光学機能面を有するものであってもよい。さらに、各光学素子の材質は特に限定されるものではなく、例えばガラス製であってもよく、樹脂製であってもよい。
【００３５】
また、光ピックアップ装置は、光源４１と情報記録媒体４６との間に、透過波面収差に実質的に影響を及ぼさないような素子をさらに備えるものであってもよい。
【００３６】
本実施の形態は、ＢＤ用の光学系を挙げて説明したが、他の光ディスクＤＶＤ、ＣＤ等をも同一ピックアップで記録再生できるよう、対物レンズ素子４３が搭載されるアクチュエータ上に他のレンズ（もしくは互換レンズ）がある、いわゆる２レンズ構成の光ピックアップ装置にも適用できる。また、本実施の形態に係る対物レンズは、Ｔｇが約５００℃のガラス製であるがこの材料に限定されない。
【実施例】
【００３７】
以下、本発明の数値実施例を、コンストラクションデータ、収差図等を挙げてさらに具体的に説明する。尚、各数値実施例において、非球面係数が与えられた面は、非球面形状の屈折光学面または非球面と等価な屈折作用を有する面（例えば回折面等）であることを示し、非球面の面形状は、以下の数式によって定義される。
【００３８】
【数１】
2011033787.tif 000014
但し、
Ｘ：光軸からの高さがｈである非球面状の点の非球面頂点の接平面からの距離、
ｈ：光軸からの高さ、
Ｃj：レンズ第ｊ面の非球面頂点の曲率（Ｃj＝１／Ｒj）、
ｋj：レンズ第ｊ面の円錐定数、
Ａj,n：レンズ第ｊ面のｎ次の非球面定数、
である。
【００３９】
（数値実施例１）
数値実施例１に係る対物レンズ素子のコンストラクションデータを下記表１に示す。
【００４０】
【表１】
2011033787.tif 000015
【００４１】
数値実施例１において、対物レンズ素子の第１面は非球面よりなる。第２面は光軸を含む内周領域とこれを取り囲む外周領域とに分割され、内周領域は非球面からなり、外周領域は球面からなる。また、対物レンズ素子の外周部には光軸に対して垂直な平坦部が設けられる。設計波長は４０６ｎｍ、焦点距離は０．９ｍｍ、開口数（ＮＡ）は０．８５、情報記録媒体の保護層厚は０．０８５ｍｍである。ここで、設計保護層厚を０．０８５ｍｍとしているのは、ＢＤの多層ディスクに対応するためであり、最も厚い保護層と最も薄い保護層との間の厚みに相当する。ここで、第２面の内周領域の非球面をそのまま延伸した場合、コバ厚は約９８μｍしか確保できず、割れが発生しやすく安定した製造は困難である。そこで、外周領域を内周領域とは凹凸が逆の曲面（Ｒ＝１．０ｍｍ）で構成し、レンズ厚みを増やしている。こうすることで、コバ厚を約１６６μｍ確保でき、安定した製造が可能なレンズとなっている。
【００４２】
図３は、数値実施例１に係る対物レンズ素子の光路図である。図４は、数値実施例１に係る対物レンズ素子に平行光が入射した場合の球面収差を表すグラフである。図５は、数値実施例１に係る対物レンズ素子に平行光が入射した場合の正弦条件を表すグラフである。
【００４３】
（数値実施例２）
数値実施例２に係る対物レンズ素子のコンストラクションデータを下記表２に示す。
【００４４】
【表２】
2011033787.tif 000016
【００４５】
数値実施例２において、対物レンズ素子はガラス材料からなる。対物レンズ素子の第１面は非球面よりなる。第２面は、光軸を含む内周領域とこれを取り囲む外周領域とに分割され、内周領域は非球面からなり、外周領域は球面からなる。また、対物レンズ素子の外周部には、光軸に対して垂直な平坦部が設けられる。設計波長は４０６ｎｍ、焦点距離は０．８５ｍｍ、開口数（ＮＡ）は０．８５、情報記録媒体の保護層厚は０．０８５ｍｍである。ここで、設計保護層厚を０．０８５ｍｍとしているのは、ＢＤの多層ディスクに対応するためであり、最も厚い保護層と最も薄い保護層との間の厚みに相当する。第２面の内周領域の非球面をそのまま延伸延長した場合、コバ厚は約１１１μｍしか確保できず割れが発生しやすい形状となってしまう。そこで、第２面の外周領域を内周領域とは凹凸が逆の曲面（Ｒ＝０．９ｍｍ）で構成することにより、コバ厚を最大１８１μｍ確保でき、割れの発生しにくいレンズ形状が得られる。
【００４６】
図６は、数値実施例２に係る対物レンズ素子の光路図である。図７はは、数値実施例２に係る対物レンズ素子に平行光が入射した場合の球面収差を表すグラフである。図８は、数値実施例２に係る対物レンズ素子に平行光が入射した場合の正弦条件を表すグラフである。
【産業上の利用可能性】
【００４７】
本発明は、高ＮＡかつ薄型の対物レンズ素子を安定して製造することを可能とするため、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）、ＥＶＤ（Ｅｎｈａｎｃｅｄ  Ｖｅｒｓａｔｉｌｅ  Ｄｉｓｃ）、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）等の種々の情報記録媒体に対して記録や再生を行う光ピックアップ装置、これを用いた情報機器（コンピュータ等）、映像機器、音響機器等に利用できる。
【符号の説明】
【００４８】
１      対物レンズ
１ａ    対物レンズ第一面
１ｂ    対物レンズ第二面
２      情報記録媒体
３      波長４０６ｎｍの光束
４０      波長４０６ｎｍの光束
４１      光源
４２      コリメートレンズ
４３      対物レンズ
４４      ビーム成形レンズ
４５      ビームスプリッタ
４６      情報記録媒体
４７      立ち上げミラー
５０      検出レンズ
５４      検出器
【手続補正２】
【補正対象書類名】特許請求の範囲
【補正対象項目名】全文
【補正方法】変更
【補正の内容】
【特許請求の範囲】
【請求項１】
入射側及び出射側に回転対称軸をもつ光学機能面を備え、入射側から入射した光束を集光する対物レンズ素子であって、
前記出射側において、前記光学機能面の有効径外の輪帯状領域に、前記光学機能面の面頂点よりスポット側に突出した外周部を備え、
前記出射側の前記光学機能面のＳＡＧ変化率が対称軸から外周に向けた全域にわたって連続である、対物レンズ素子。
【請求項２】
有効径内の最外周領域の光軸方向の厚みより、有効径外の領域の光軸方向の厚みが厚い、請求項１に記載の対物レンズ素子。
【請求項３】
前記出射側の光学機能面の有効径外の領域において、ＳＡＧの増減方向が反転する、請求項１に記載の対物レンズ素子。
【手続補正３】
【補正対象書類名】図面
【補正対象項目名】全図
【補正方法】変更
【補正の内容】
【図１】
2011033787.tif 000017
【図２】
2011033787.tif 000018
【図３】
2011033787.tif 000019
【図４】
2011033787.tif 000020
【図５】
2011033787.tif 000021
【図６】
2011033787.tif 000022
【図７】
2011033787.tif 000023
【図８】
2011033787.tif 000024
【国際調査報告】
2011033787.tif 000025
2011033787.tif 000026
2011033787.tif 000027
2011033787.tif 000028